(57)【要約】【課題】排藁株元搬送チェンと排藁挟持杆の位置関係の悪さによる搬送姿勢の悪化、排藁の詰まり現象の多発、詰まった排藁の除去の煩雑化。【解決手段】排藁搬送装置３０を排藁株元搬送チェン３３と排藁挟持杆３４により挾持搬送する株元側排藁搬送装置３１と、移動する搬送ラグ３６により穂先側を搬送する穂先側排藁搬送装置３２とにより構成する。脱穀室２に軸架した扱胴軸４０から駆動回転される排藁入力軸４５は、前記穂先側排藁搬送装置３２を貫通させて前記排藁株元搬送チェン３３に連動させる。排藁株元搬送チェン３３のチェン案内レール６８は前記排藁入力軸４５の部分で搬送方向の上手側と下手側とに分割形成し、前記チェン案内レール６８の上手側案内レール６８Ａは排藁入力軸４５の軸芯を中心として上下回動可能に構成する。【選択図】図１１
2008271796.tif 000002
【特許請求の範囲】
【請求項１】
脱穀室（２）に穀稈を供給する穀稈供給搬送装置（２１）の終端側に脱穀済の排藁を搬送する排藁搬送装置（３０）を設け、該排藁搬送装置（３０）は、排藁株元搬送チェン（３３）と排藁挟持杆（３４）により挾持搬送する株元側排藁搬送装置（３１）と、移動する搬送ラグ（３６）により穂先側を搬送する穂先側排藁搬送装置（３２）とにより構成し、前記脱穀室（２）に軸架した扱胴軸（４０）から駆動回転される排藁入力軸（４５）を、前記穂先側排藁搬送装置（３２）を貫通させて前記排藁株元搬送チェン（３３）に連動させる構成とし、前記排藁株元搬送チェン（３３）のチェン案内レール（６８）を前記排藁入力軸（４５）の部分で搬送方向の上手側と下手側とに分割形成し、前記チェン案内レール（６８）の上手側案内レール（６８Ａ）は排藁入力軸（４５）の軸芯を中心として上下回動可能に構成したことを特徴とする脱穀装置。
【請求項２】
請求項１において、前記排藁入力軸（４５）には前記排藁株元搬送チェン（３３）に噛み合う排藁搬送チェン駆動歯車（４７）を取付け、該排藁搬送チェン駆動歯車（４７）の上方にはチェン押さえ（７９）を設け、該チェン押さえ（７９）は上手側案内レール（６８Ａ）が上下回動すると、排藁搬送チェン駆動歯車（４７）の軸芯を中心に上手側案内レール（６８Ａ）と共に一体的に回動するように構成したことを特徴とする脱穀装置。
【発明の詳細な説明】
【技術分野】
【０００１】
本発明は、脱穀装置に係るものである。
【背景技術】
【０００２】
従来、脱穀室に穀稈を供給する穀稈供給装置の終端に脱穀済の排藁を放出する排藁放出装置を設け、該排藁放出装置は、株元側排藁搬送装置により構成し、排藁搬送装置を、放出姿勢と格納姿勢とに回動変位するようにした脱穀装置は、公知である（特許文献１）。
【特許文献１】特開平９−１８７１４６号公報
【発明の開示】
【発明が解決しようとする課題】
【０００３】
前記公知例の排藁搬送装置は、放出姿勢と格納姿勢とに回動変位するが、排藁株元搬送チェンと排藁挟持杆の間に排藁が詰まると、除去が面倒であるという課題がある。
即ち、排藁株元搬送チェンは、排藁挟持杆により支持されている構成のため、排藁株元搬送チェンと排藁挟持杆の位置関係は常時同じで、排藁が詰まりやすく、しかも、詰まった排藁は、一々、排藁株元搬送チェンを支持した状態の排藁挟持杆を格納して行わなければならず、詰まり排藁の除去は面倒であった。
本発明は、株元側排藁搬送装置の構成を工夫することにより、排藁株元搬送チェンと排藁挟持杆の位置関係を良好にして排藁の詰まりを減少させると共に、仮に排藁が詰まっても詰まり排藁の除去を簡単にできるようにしたものである。
【課題を解決するための手段】
【０００４】
本発明は、脱穀室２に穀稈を供給する穀稈供給搬送装置２１の終端側に脱穀済の排藁を搬送する排藁搬送装置３０を設け、該排藁搬送装置３０は、排藁株元搬送チェン３３と排藁挟持杆３４により挾持搬送する株元側排藁搬送装置３１と、移動する搬送ラグ３６により穂先側を搬送する穂先側排藁搬送装置３２とにより構成し、前記脱穀室２に軸架した扱胴軸４０から駆動回転される排藁入力軸４５を、前記穂先側排藁搬送装置３２を貫通させて前記排藁株元搬送チェン３３に連動させる構成とし、前記排藁株元搬送チェン３３のチェン案内レール６８を前記排藁入力軸４５の部分で搬送方向の上手側と下手側とに分割形成し、前記チェン案内レール６８の上手側案内レール６８Ａは排藁入力軸４５の軸芯を中心として上下回動可能に構成したことを特徴とする脱穀装置としたものであり、株元側排藁搬送装置３１のチェン案内レール６８を排藁入力軸４５の部分で搬送方向の上手側と下手側とに分割形成し、チェン案内レール６８の上手側案内レール６８Ａは排藁入力軸４５の軸芯を中心に上下回動するように構成しているから、通常の作業状態では排藁挟持杆３４が排藁株元搬送チェン３３に対して上下することにより、排藁株元搬送チェン３３と排藁挟持杆３４の位置関係を良好にして排藁の詰まりを減少させ、仮に排藁が詰まっても上手側案内レール６８Ａの後端を上動させると、上手側案内レール６８Ａと排藁挟持杆３４との間隔が広がり、詰まった排藁の除去を簡単に行える。
本発明は、前記排藁入力軸４５には前記排藁株元搬送チェン３３に噛み合う排藁搬送チェン駆動歯車４７を取付け、該排藁搬送チェン駆動歯車４７の上方にはチェン押さえ７９を設け、該チェン押さえ７９は上手側案内レール６８Ａが上下回動すると、排藁搬送チェン駆動歯車４７の軸芯を中心に上手側案内レール６８Ａと共に一体的に回動するように構成した脱穀装置としたものであり、上手側案内レール６８Ａの上下回動により排藁搬送チェン駆動歯車４７の軸芯を中心に中間チェン押さえ７９が一体的に回動するので、排藁株元搬送チェン３３の押さえ力が一定となり、始端側案内ローラ７３Ａの移動を円滑に行って、排藁株元搬送チェン３３をロックさせることなく、上手側案内レール６８Ａを屈曲回動させられる。
【発明の効果】
【０００５】
請求項１の発明では、排藁株元搬送チェン３３と排藁挟持杆３４の位置関係を良好にして排藁の詰まりを減少させ、排藁が詰まったときには上手側案内レール６８Ａの後端を上動させるだけで、上手側案内レール６８Ａと排藁挟持杆３４との間隔が広がり、詰まり排藁の除去を簡単に行える。
請求項２の発明では、排藁株元搬送チェン３３の押さえ力が一定となり、始端側案内ローラ７３Ａの移動を円滑に行って、排藁株元搬送チェン３３をロックさせることなく、上手側案内レール６８Ａを屈曲回動させることができる。
【発明を実施するための最良の形態】
【０００６】
本発明の実施例を図面により説明すると、１はコンバイン等に設けられる脱穀装置であり、脱穀装置１の上部には脱穀室２を設け、該脱穀室２内には扱胴３を軸装する。扱胴３の主として下方側は扱網４により包囲する。前記扱網４の下方には唐箕５のケーシング６を設け、唐箕５は終端側（後側）に向けて送風する。前記脱穀室２の終端側の下方には前記唐箕５の送風により穀粒と異物とを風選し得る風選室７を形成する。
風選室７内には、唐箕５の送風方向に往復揺動する揺動選別棚８を設ける。実施例では、揺動選別棚８の始端部の移送棚９を前記ケーシング６の上方に臨ませ、移送棚９に落下した落下物を風選室７へ移送させるようにして揺動選別棚８とケーシング６の取付スペースを有効に配置している。
【０００７】
揺動選別棚８は、前記移送棚９に続いて、穀粒と異物とを選別するシーブ１０を設け、シーブ１０よりも終端（排出）側には藁屑を移送し得るストローラック１１を設ける。前記シーブ１０の下方の揺動選別棚８には選別網１２を設け、選別網１２の下方には一番コンベア１３を設け、一番コンベア１３の終端側には二番コンベア１４を設ける。
前記脱穀室２の終端側部には排塵処理室１５を設け、排塵処理室１５は脱穀室２と連通させて脱穀室２で処理できない被処理物を処理する。また、実施例では、脱穀室２の側部に排塵処理室１５の処理胴１６と同軸状に二番処理胴１７を有する二番処理装置１８を設け、二番処理装置１８に二番コンベア１４の終端に設けた二番戻し装置１９（図２）の終端を接続して、二番物を処理している。
また、風選室７の終端の側方には吸引排塵ファン２０を設ける。
【０００８】
しかして、前記脱穀室２の側部には、該脱穀室２に穀稈を搬送供給する穀稈供給搬送装置２１を設ける。穀稈供給搬送装置２１は挾扼杆２２と供給搬送チェン２３により構成する。
穀稈供給搬送装置２１の終端には、脱穀室２にて脱穀済みの穀稈（排藁）を穀稈供給装置２１より引き継いで搬送する排藁搬送装置３０を設ける。
排藁搬送装置３０は、穀稈供給搬送装置２１より引き継いだ排藁の根本側を搬送する株元側排藁搬送装置３１と、穂先側排藁搬送装置３２とにより構成する。株元側排藁搬送装置３１は無端の排藁搬送チェン３３の下方に上下自在の排藁挟持杆３４を設けて、排藁株元搬送チェン３３と排藁挟持杆３４とにより排藁を挟持搬送するようにし、排藁挟持杆３４は排藁の層厚が薄いときは上動し、排藁の層厚が厚いときは下動するように構成する。
前記穂先側排藁搬送装置３２は、移動する無端の排藁穂先チェン３５に所定間隔をおいて搬送ラグ３６を複数起伏自在に設けて構成する。
【０００９】
しかして、前記扱胴３の扱胴軸４０の後端には中間出力プーリ４１を設け、中間伝動プーリ４１の側方に中間出力プーリ４２を設ける。中間出力プーリ４２は軸４３に固定し、軸４３は排藁入力ギヤケース４４に軸装する。排藁入力ギヤケース４４には排藁入力軸４５の一端を軸装する。排藁入力軸４５は排藁入力ギヤケース４４内に設けた傘歯車４６により軸４３からの回転が伝達される。
排藁入力軸４５の中間部は前記穂先側排藁搬送装置３２を貫通させ、排藁入力軸４５の他端には排藁株元搬送チェン３３の排藁搬送チェン駆動歯車４７を設け、排藁搬送チェン駆動歯車４７に排藁株元搬送チェン３３を掛け回す。
【００１０】
したがって、穂先側排藁搬送装置３２を迂回させて株元側排藁搬送装置３１に伝動させる構成に比し、排藁入力軸４５は排藁入力ギヤケース４４から穂先側排藁搬送装置３２を貫通させて排藁株元搬送チェン３３の排藁搬送チェン駆動歯車４７を設け、排藁株元搬送チェン３３を直接駆動しているので、伝動構成が簡易であり、排藁株元搬送チェン３３より搬送ラグ３６の周速を早くさせる等の設定が容易となる。
また、扱胴３のすぐ後方に穂先側排藁搬送装置３２の搬送ラグ３６の移動路を接近させることができ、搬送ラグ３６の先端位置と中間伝動プーリ４１の前後位置が略一致するようにできるので、その分、扱胴３の後端を後方へ延長でき、小型の脱穀装置１であっても、扱胴３の脱穀能力を高めることができる。
【００１１】
しかして、中間出力プーリ４１と中間出力プーリ４２との間にはテンションプーリ５１テンションプーリ５１を設け、該テンションプーリ５１と前記中間出力プーリ４２は、扱胴軸４０より穂先側であって扱胴軸４０よりも上方に位置させる（図３）。扱胴３の終端から排藁搬送装置３０までの距離を短縮して、脱穀室後板５２の排稈口５３から搬送排出される排藁が中間出力プーリ４２等の伝動部から遠座けることができ、排藁の巻き付きを減少させる。
【００１２】
しかして、穂先側排藁搬送装置３２は、排藁穂先チェン３５をチェンケース５４の前後両端に設けた歯車５５に掛け回す。そして、前記排藁入力軸４５は、前後の歯車５５の中間のチェンケース５４に設けたボス（図示省略）を貫通して通す。
前記排藁入力軸４５は、前後の歯車５５の中間のチェンケース５４を貫通しているので、前記歯車５５の設置位置を、排藁入力軸４５とは無関係に任意に設定でき、穂先側排藁搬送装置３２の配置の設計の自由度を向上させ、搬送能力を向上させる。
即ち、排藁入力軸４５は排藁入力ギヤケース４４から穂先側排藁搬送装置３２に向けて理想的な角度である略直交するように貫通させることができるので、穂先側排藁搬送装置３２と株元側排藁搬送装置３１とは平面視略平行に配置することができ、排藁の搬送姿勢を良好にできる。
【００１３】
また、排藁穂先チェン３５の始端部の前後位置は株元側排藁搬送装置３１の排藁株元搬送チェン３３の始端部の前後位置と略同じに位置させている。
したがって、穀稈供給搬送装置２１からの排藁を株元側排藁搬送装置３１と穂先側排藁搬送装置３２とが引き継ぐタイミングを同調させることができ、排稈の搬送姿勢を良好にし、穂先先行姿勢で排藁を搬送でき、詰まりの発生を減少させる。
しかして、前記排藁株元搬送チェン３３には、中間伝動歯車５６を噛み合わせる。中間伝動歯車５６は穂先伝動軸５７の一端に固定し、穂先伝動軸５７の他端には前後の歯車５５のうちの後側の穂先入力歯車５５Ａを固定し、穂先入力歯車５５Ａに排藁穂先チェン３５を掛け回し、エンジン５８からの回転を株元側排藁搬送装置３１経由で穂先側排藁搬送装置３２に伝達している。
【００１４】
したがって、穂先伝動軸５７の一本によりエンジン５８からの回転を株元側排藁搬送装置３１経由で穂先側排藁搬送装置３２に伝達でき、伝動構成を簡素にする。
５９は伝動ギヤケース、６０は排藁搬送装置３０の後方に設けたカッター装置である。
【００１５】
しかして、穀稈供給搬送装置２１の終端近傍位置には、前記株元側排藁搬送装置３１に排藁を案内する株元支持ガイド６３を設ける。株元支持ガイド６３は、株元側排藁搬送装置３１の排藁株元搬送チェン３３の始端部より前側下方にその基部を位置させ、上方に至るに従い平面視および側面視において排藁株元搬送チェン３３に接近させる。
また、穀稈供給搬送装置２１の終端近傍位置には、前記穂先側排藁搬送装置３２に排藁を案内する穂先案内ガイド６４を設ける。穂先案内ガイド６４は、穂先側排藁搬送装置３２の排藁穂先チェン３５の始端部より前側下方にその基部を位置させ、上方に至るに従い平面視および側面視において排藁穂先チェン３５に接近するように傾斜させ、中間部より先端側は先端に至るに従い搬送ラグ３６の先端移動軌跡に接近するように、前上がりに傾斜させて構成する。
【００１６】
実施例では、脱穀室後板５２に設けたステー６５に株元支持ガイド６３および穂先案内ガイド６４の基部を固定して取り付け、ステー６５から株元支持ガイド６３および穂先案内ガイド６４を分岐させて設けているので、脱穀室２の終端から排藁株元搬送チェン３３の始端部の短い区間で脱穀室２から排出される排藁を円滑に株元側排藁搬送装置３１および穂先側排藁搬送装置３２へ誘導案内し、詰まりの発生を防止する。
【００１７】
即ち、株元側排藁搬送装置３１の排藁挟持杆３４の始端部は、平面視において排藁株元搬送チェン３３の始端部近傍に位置させる。したがって、排藁挟持杆３４の始端部の傾斜を急傾斜にするほど、排藁挟持杆３４の始端部を脱穀室２の後部に接近させて、全体を小型化でき、しかも、排藁挟持杆３４の始端部の傾斜を急傾斜にしても、株元支持ガイド６３を設けているので、排藁の引継ぎは円滑になって、詰まり発生を減少させる。
【００１８】
しかして、株元側排藁搬送装置３１の排藁株元搬送チェン３３はチェン案内レール６８に掛け回す。チェン案内レール６８は前記排藁入力軸４５の部分で搬送方向の上手側（後側）と下手側（前側）とに分割形成し、チェン案内レール６８の上手側案内レール６８Ａは排藁入力軸４５と同一軸芯を中心に後端が上下回動するように構成する。
即ち、排藁入力軸４５の他端部は後側入力ハウジング６９に軸装し、後側入力ハウジング６９に対して上手側案内レール６８Ａを回動自在に取付ける。
上手側案内レール６８Ａの回動支点部をハブ形状の後側入力ハウジング６９とし、後側入力ハウジング６９に側面視上手側案内レール６８Ａを重ねて設けることにより、上手側案内レール６８Ａの取付のがたを少なくし、強固の取り付けつつスムーズに回動可能にしている。
【００１９】
しかして、前記後側入力ハウジング６９の一端には筒部材７０を回転自在に設け、筒部材筒部材７０に前記チェン案内レール６８の下手側案内レール６８Ｂ側を固定状態に取付け、後側入力ハウジング６９の他端は前記チェンケース５４側に設けた取付プレート７１に固定状態に取付け、チェン案内レール６８とチェンケース５４とを後側入力ハウジング６９により連結する（図１２）。
したがって、株元側排藁搬送装置３１と穂先側排藁搬送装置３２は連結されて、排藁搬送装置３０全体の剛性を向上させる。
また、前記穂先伝動軸５７は前側入力ハウジング７２に軸装し、前側入力ハウジング７２の一端は後側入力ハウジング６９と同様にチェン案内レール６８の下手側案内レール６８Ｂ側に固定状態に取付けた取付部材７２Ａに取付ける。前側入力ハウジング７２の他端は前記チェンケース５４側に固定状態に取付け、チェン案内レール６８とチェンケース５４とを後側入力ハウジング６９および前側入力ハウジング７２により連結する（図１２）。
【００２０】
それゆえ、株元側排藁搬送装置３１と穂先側排藁搬送装置３２はチェン案内レール６８とチェンケース５４とを後側入力ハウジング６９および前側入力ハウジング７２によりボックス状に連結されて、一層、排藁搬送装置３０全体の剛性を向上させる。
また、上手側案内レール６８Ａの後端が上下するので、穀稈供給搬送装置２１と排藁搬送装置３０との引継部に詰まりが生じたときには、上方回動させて詰まりを除去でき、メンテナンス性を向上させる。
【００２１】
しかして、前記株元側排藁搬送装置３１は、チェン案内レール６８の中間部に排藁搬送チェン駆動歯車４７を設け、チェン案内レール６８の両端側には夫々案内ローラ７３を設け、株元側排藁搬送装置３１の排藁搬送チェン駆動歯車４７と案内ローラ７３に排藁株元搬送チェン３３を掛け回している。
この場合、両端の二つの案内ローラ７３は、その高さを略同じに設ける（図３）。
したがって、排藁搬送チェン駆動歯車４７の巻き角を確保でき、負荷時に歯飛び等の発生をさせずに、株元側排藁搬送装置３１を駆動させられる。
また、始端側（後側）ローラ７３Ａから排藁搬送チェン駆動歯車４７までの上側移動排藁株元搬送チェン３３の移動ラインは、排藁搬送チェン駆動歯車４７から始端側案内ローラ７３Ａに向かって高くなるように傾斜させる。そのため、上側移動の排藁株元搬送チェン３３は弛み側となるが、上り傾斜面とすることで、排藁株元搬送チェン３３の弛みが過大にならず、排藁株元搬送チェン３３の弛みによる騒音を抑制する。
【００２２】
また、上手側案内レール６８Ａの後端下面は切り欠いて下がり傾斜面７４に形成し、始端側案内ローラ７３Ａ近傍に外れ防止ガイド７５を設ける。外れ防止ガイド７５は、排藁株元搬送チェン３３の側方に位置して外れるのを防止する（図１３）。
そのため、上手側案内レール６８Ａの後端付近に外れ防止ガイド７５を設けているので、排藁詰まり時等で、排藁株元搬送チェン３３の弛みにより排藁株元搬送チェン３３が外れやすくなるのを有効に防止できる。
しかして、上手側案内レール６８Ａの上下回動による排藁株元搬送チェン３３の周長の変化を吸収するテンション機構７６を、排藁株元搬送チェン３３のチェンライン上に設け、作業時のチェンテンションと兼用する。
前記テンション機構７６を終端側（前側）ローラＢ側に設け、終端側案内ローラ７３Ｂを前後に移動可能とすることで、上手側案内レール６８Ａの屈曲回動時に排藁株元搬送チェン３３の周長の変化があっても、終端側案内ローラ７３Ｂが前後に動くことで。周長の変化量を吸収し、上手側案内レール６８Ａの屈曲回動を円滑にさせられる。
【００２３】
即ち、終端側案内ローラ７３Ｂを移動軸７７の先端に軸装し、移動軸７７は終端側案内ローラ７３Ｂに前後移動自在に取付け、移動軸７７に終端側案内ローラ７３Ｂを前方に移動するように付勢するバネ７８を設けて、テンション機構７６を構成している。
しかして、排藁搬送チェン駆動歯車４７の上方には中間チェン押さえ７９を設ける。中間チェン押さえ７９は、後側入力ハウジング６９の外端に回転自在に設けた筒部材７０に取付部８０を固定して取付け、排藁搬送チェン駆動歯車４７の上方の取付部８０の下縁に当接部８１を設けて構成する。
したがって、筒部材７０が上手側案内レール６８Ａの上下回動により回転すると、排藁搬送チェン駆動歯車４７の軸芯を中心に当接部８１は一体的に回動するので、排藁株元搬送チェン３３の押さえ力が一定となって、始端側案内ローラ７３Ａの移動を円滑に行って、排藁株元搬送チェン３３のロックさせることなく、上手側案内レール６８Ａを屈曲回動させられる。
【００２４】
しかして、チェン案内レール６８は前記排藁入力軸４５の部分で搬送方向の前側と後側とに分割形成しており、チェン案内レール６８の前後分割部の排稈搬送面側に、上手側案内レール６８Ａの回動時に上手側案内レール６８Ａの前端と下手側案内レール６８Ｂの後端との間に排藁株元搬送チェン３３のチェンローラ３３Ａが落ち込み（食い込み）ロックするのを防止するロック防止ガイド８３を設ける。
ロック防止ガイド８３は、平板状に形成し、後端に至るに従い高く傾斜させ、後端は上手側案内レール６８Ａの前端上方に位置するように、下側下手側案内レール６８Ｂの内面に固定する。
【００２５】
したがって、ロック防止ガイド８３は、上手側案内レール６８Ａの前端と下手側案内レール６８Ｂの後端との間に排藁株元搬送チェン３３のチェンローラ３３Ａが内側に進入するのを防止してロックするのを防止する。即ち、上手側案内レール６８Ａの回動時に排藁株元搬送チェン３３がロック防止ガイド８３により下手側案内レール６８Ｂの搬送面側（外側）に押しされ、排藁株元搬送チェン３３は回転可能になる。
しかして、チェン案内レール６８の分割部には、上手側案内レール６８Ａが下手側案内レール６８Ｂに対して所定位置より下方回動を規制するストッパ体８５を設ける。ストッパ体８５は、前記後側入力ハウジング６９に固定側係合体８６を設け、固定側係合体８６に前記上手側案内レール６８Ａの内面に排藁株元搬送チェン３３の移動方向に対して交差方向に突き出るレール側係合体８７を当接させて、構成している。
したがって、上手側案内レール６８Ａが過剰に下方回動して、下手側案内レール６８Ｂとの接触部分が変形するのを防止する。
【００２６】
また、実施例では、排藁入力軸４５より後側の上手側案内レール６８Ａの側面に交差方向に突出させてレール側係合体８７を設け、レール側係合体８７を後側入力ハウジング６９に固定の固定側係合体８６に上方から係合させているから、上手側案内レール６８Ａの後端の上方回動は自在であり、確実に上手側案内レール６８Ａの下方回動を規制でき、強度的にも有利である。
しかして、上手側案内レール６８Ａの始端部には、上手側案内レール６８Ａの始端部の左右方向の振れ防止ガイド体８８を設ける。振れ防止ガイド体８８は、上手側案内レール６８Ａの後部所定位置に排藁株元搬送チェン３３の移動方向と並行の棒状部材により形成したレール側係合部材８９を設け、レール側係合部材８９はガイド体９０の長孔９１に係合させる。ガイド体９０は後述する取付フレーム９２を固定する機体側部フレーム９３に固定する。
【００２７】
振れ防止ガイド体８８は、ガイド体９０の長孔９１にレール側係合部材８９を挿通させて係合させているので、上手側案内レール６８Ａの回動支点とは反対側となる上手側案内レール６８Ａの始端部の横方向の振れを防止し、上手側案内レール６８Ａを安定して設置できる。
この場合、前記ガイド体９０の長孔９１の内周下縁は、上手側案内レール６８Ａが最下り位置となるように構成する。
したがって、振れ防止ガイド体８８は、上手側案内レール６８Ａの下り方向の回動を規制するストッパとして作用させることができ、株元側排藁搬送装置３１の始端部を穀稈供給搬送装置２１の終端部の上方にオーバーラップするように接近して設けても、上手側案内レール６８Ａの最下方位置が安定し、穀稈供給搬送装置２１と株元側排藁搬送装置３１との干渉を確実に防止する。
なお、理解を容易にするために、図１６および図１７では振れ防止ガイド体８８の側面図も併せて図示している。
【００２８】
また、前記ガイド体９０の長孔９１の内周上縁は、上手側案内レール６８Ａが最上位置となるように構成する。
したがって、振れ防止ガイド体８８は、排藁詰まり時等に過剰に上手側案内レール６８Ａの上方回動を規制するストッパとして作用させることができ、株元側排藁搬送装置３１の始端部に過剰な負荷が掛かることを防止する。
しかして、株元側排藁搬送装置３１は、チェン案内レール６８の両端側に設けた案内ローラ７３の軸芯方向の左右両側には、夫々カラー９４を設ける（図１２）。
即ち、案内ローラ７３は、合成樹脂により形成し、チェン案内レール６８の前後両端に設けた取付部材９５に軸９６により軸装するが、案内ローラ７３と取付部材９５の側面との間に金属製のカラー９４を設ける。
【００２９】
したがって、前後の案内ローラ７３を共用化して、コストを安価にし軽量化する。また、案内ローラ７３に藁が巻き付いたときに、樹脂案内ローラ７３の端部が溶けて破損するのを防止する。
しかして、チェン案内レール６８の上手側案内レール６８Ａと下手側案内レール６８Ｂとの回動支点は、排藁入力軸４５の軸芯と一致させ、チェン案内レール６８の全長の略前後中間位置とし、下側を移動して排藁挟持杆３４と挾持搬送する排藁株元搬送チェン３３よりも、上方に位置するように構成する。
したがって、上手側案内レール６８Ａの回動時に、回動支点に掛かる荷重が、挾持搬送中の排藁株元搬送チェン３３に影響することがなく、排藁株元搬送チェン３３の搬送を円滑・確実にできる。
【００３０】
しかして、前記取付フレーム９２は、扱胴３の扱胴軸４０を基準に、左側フレーム９７と右側フレーム９８と中間連結フレーム９９と後側連結フレーム１００により構成し、左側フレーム９７および右側フレーム９８の前端は脱穀室後板５２に夫々固定し、左側フレーム９７および右側フレーム９８の後部は後側連結フレーム１００に固定して連結する。中間連結フレーム９９の左右両側は、脱穀装置１の任意の固定部に固定する。実施例では中間連結フレーム９９の左端側は前記機体側部フレーム９３に固定している。
また、右側フレーム９８に前記排藁入力ギヤケース４４を吊設する。また、前記後側入力ハウジング６９に固定の固定側係合体８６に上下方向の支持部材１０１を固定し、支持部材１０１の上部を前記中間連結フレーム９９に固定して株元側排藁搬送装置３１および穂先側排藁搬送装置３２を取付フレーム９２に吊設する。
【００３１】
即ち、後側入力ハウジング６９および前側入力ハウジング７２によりボックス状に連結された株元側排藁搬送装置３１と穂先側排藁搬送装置３２とを、支持部材１０１により一体状に調節している。
また、左側フレーム９７には、取付部材１０２を固定し、取付部材１０２に中間伝動プーリ４１およびテンションプーリ５１のテンションアーム１０３を取り付けている。
【００３２】
（実施例の作用）
次に作用を述べる。
穀稈を脱穀室２に穀稈供給搬送装置２１により供給すると、脱穀室２内の回転する扱胴３により脱穀され、扱網４より落下した落下物は揺動選別棚８の移送棚９上に落下し、移送棚９の移送突起により移送されてシーブ１０上に至る。
シーブ１０上では、揺動するシーブ１０と唐箕５からの送風とにより藁屑と穀粒が分離し、穀粒と少しの藁屑がシーブ１０の隙間より落下し、シーブ１０の隙間より落下しない落下しない藁屑等は、揺動選別棚８の揺動と唐箕５の送風により排出側に移動し、風選室７の終端側では、塵埃や藁屑を吸引排塵ファン２０により吸引排除され、吸引排塵ファン２０により吸引されない藁屑はストローラック１１上に至り、ストローラック１１より落下しない藁屑等は、機外排出口２１より機外に排出される。
【００３３】
しかして、穀稈供給搬送装置２１により搬送されて脱穀済の穀稈は排藁搬送装置３０に引き継がれて搬送される。
この場合、排藁搬送装置３０によって搬送される排藁の層厚によって排藁挟持杆３４が排藁株元搬送チェン３３に対して遠近移動（上下）して、円滑に搬送する。
なお、前記した各実施例は、理解を容易にするために、個別または混在させて図示、あるいは説明しているが、これらは夫々種々組合せ可能であり、これらの表現によって、構成・作用等が限定されるものではなく、また、相乗効果を奏する場合も勿論存在する。
【図面の簡単な説明】
【００３４】
【図１】脱穀装置の側面図。
【図２】脱穀装置の平面図。
【図３】同背面図。
【図４】排藁搬送装置付近の平面図。
【図５】排藁搬送装置付近の平面図。
【図６】伝動機構の概略図。
【図７】脱穀装置の背面図。
【図８】穂先側排藁搬送装置の背面図。
【図９】排藁搬送装置付近の側面図。
【図１０】株元側排藁搬送装置の背面図。
【図１１】同回動状態背面図。
【図１２】株元側排藁搬送装置の背面図。
【図１３】株元側排藁搬送装置の外れ防止ガイド付近の断面図。
【図１４】チェン押さえ付近の平面図。
【図１５】チェン押さえの側面図。
【図１６】チェン押さえの回動状態側面図。
【図１７】振れ防止ガイド体の背面図および側面図。
【図１８】同回動状態背面図および側面図。
【図１９】排藁搬送装置付近の平面図。
【符号の説明】
【００３５】
１…脱穀装置、２…脱穀室、３…扱胴、４…扱網、５…唐箕、６…ケーシング、７…風選室、８…揺動選別棚、９…移送棚、１０…シーブ、１１…ストローラック、１２…選別網、１３…一番コンベア、１４…二番コンベア、１５…排塵処理室、１６…処理胴、１７…二番処理胴、１８…二番処理装置、１９…二番戻し装置、２０…吸引排塵ファン、２１…穀稈供給搬送装置、３０…排藁搬送装置、３１…株元側排藁搬送装置、３２…穂先側排藁搬送装置、３３…排藁株元搬送チェン、３３Ａ…チェンローラ、３４…排藁挟持杆、３５…排藁穂先チェン、３６…搬送ラグ、４０…扱胴軸、４１…中間伝動プーリ、４２…中間出力プーリ、４３…軸、４４…排藁入力ギヤケース、４５…排藁入力軸、４６…傘歯車、４７…排藁搬送チェン駆動歯車、５１…テンションプーリ、５２…脱穀室後板、５４…チェンケース、５５…歯車、５５Ａ…穂先入力歯車、５６…中間伝動歯車、５７…穂先伝動軸、５８…エンジン、５９…伝動ギヤケース、６３…株元支持ガイド、６４…穂先案内ガイド、６５…ステー、６８…チェン案内レール、６８Ａ…上手側チェン案内レール、６８Ｂ…下手側チェン案内レール、６９…後側入力ハウジング、７０…筒部材、７１…取付プレート、７２…前側入力ハウジング、７３…案内ローラ、７４…下がり傾斜面、７５…外れ防止ガイド、７６…テンション機構、７７…移動軸、７８…バネ、７９…中間チェン押さえ、８０…取付部、８１…当接部、８３…ロック防止ガイド、８５…ストッパ体、８６…固定側係合体、８７…レール側係合体、８８…振れ防止ガイド体、８９…レール側係合部材、９０…ガイド体、９１…長孔、９２…取付フレーム、９３…機体側部フレーム、９４…カラー、９５…取付部材、９６…軸、９７…左側フレーム、９８…右側フレーム、９９…中間連結フレーム、１００…後側連結フレーム、１０１…支持部材、１０２…取付部材。
【図１】
2008271796.tif 000003
【図２】
2008271796.tif 000004
【図３】
2008271796.tif 000005
【図４】
2008271796.tif 000006
【図５】
2008271796.tif 000007
【図６】
2008271796.tif 000008
【図７】
2008271796.tif 000009
【図８】
2008271796.tif 000010
【図９】
2008271796.tif 000011
【図１０】
2008271796.tif 000012
【図１１】
2008271796.tif 000013
【図１２】
2008271796.tif 000014
【図１３】
2008271796.tif 000015
【図１４】
2008271796.tif 000016
【図１５】
2008271796.tif 000017
【図１６】
2008271796.tif 000018
【図１７】
2008271796.tif 000019
【図１８】
2008271796.tif 000020
【図１９】
2008271796.tif 000021